(57)【特許請求の範囲】
【請求項１】
被測定者から測定された生体情報と、前記生体情報の測定時における前記被測定者の位置情報とが対応付けられたデータを取得するデータ取得部と、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、
前記複数の場所情報毎に生成された数値指標に基づく出力を行う出力部と、を備え、
前記出力部は、前記複数の場所情報毎に生成された数値指標と、前記数値指標に対応する場所情報とを出力する診療支援装置。
【請求項２】
請求項１記載の診療支援装置であって、
前記出力部は、前記複数の場所情報毎に生成された数値指標に基づいて、前記被測定者が、特定の場所情報に基づく場所に依存して身体状態が異常になるタイプか否かを通知するための情報を出力する診療支援装置。
【請求項３】
請求項１又は２記載の診療支援装置であって、
前記指標生成部は、前記場所情報に属する複数の位置情報に対応付けられた生体情報の平均値を当該場所情報に対する前記数値指標として生成する診療支援装置。
【請求項４】
請求項１〜３のいずれか１項記載の診療支援装置であって、
前記生体情報は、血圧値、脈拍、又は脈圧である診療支援装置。
【請求項５】
請求項１記載の診療支援装置であって、
前記出力部は、前記数値指標と、当該数値指標に対応する場所情報とを表示部に表示させ、前記表示部の画面上で任意の前記場所情報が選択されると、当該場所情報に属する位置情報に対応付けられた前記生体情報を前記表示部に表示させる診療支援装置。
【請求項６】
請求項１〜５のいずれか１項記載の診療支援装置と、
前記生体情報を測定する生体情報測定部と、
前記位置情報を取得する位置情報取得部と、
前記生体情報と、当該生体情報の測定時に前記位置情報取得部で取得された位置情報とを対応付けた前記データを記憶する記憶部と、を備え、
前記データ取得部は、前記記憶部から前記データを取得する生体情報測定装置。
【請求項７】
被測定者から測定された生体情報と、前記生体情報の測定時における前記被測定者の位置情報とが対応付けられたデータを取得するデータ取得部と、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、
前記複数の場所情報毎に生成された数値指標に基づく出力を行う出力部と、を備え、
前記指標生成部は、前記場所情報に属する複数の位置情報に対応付けられた生体情報の変動量を当該場所情報に対する前記数値指標として生成する診療支援装置。
【請求項８】
被測定者から測定された生体情報と、前記生体情報の測定時における前記被測定者の位置情報とが対応付けられたデータを取得するデータ取得部と、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、
前記複数の場所情報毎に生成された数値指標に基づく出力を行う出力部と、を備え、
前記被測定者から測定された生体情報は、第一の生体情報と第二の生体情報を含み、
前記指標生成部は、前記場所情報に属する複数の位置情報に対応付けられた前記第一の生体情報及び前記第二の生体情報の各々の変動量の比を前記数値指標として生成する診療支援装置。
【請求項９】
請求項８記載の診療支援装置であって、
前記第一の生体情報は血圧値であり、前記第二の生体情報は脈拍である診療支援装置。
【請求項１０】
コンピュータが、被測定者から測定された生体情報と、前記生体情報の測定時における前記被測定者の位置情報とが対応付けられたデータを取得するデータ取得ステップと、
コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
コンピュータが、前記複数の場所情報毎に生成された数値指標に基づく情報を出力する情報出力ステップと、を備え、
前記情報出力ステップで、前記複数の場所情報毎に生成された数値指標と、前記数値指標に対応する場所情報とを出力する診療支援方法。
【請求項１１】
被測定者から測定された生体情報と、前記生体情報の測定時における前記被測定者の位置情報とが対応付けられたデータを取得するデータ取得ステップと、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
前記複数の場所情報毎に生成された数値指標に基づく情報として、前記複数の場所情報毎に生成された数値指標と、前記数値指標に対応する場所情報とを出力する情報出力ステップと、をコンピュータに実行させるための診療支援プログラム。
【請求項１２】
コンピュータが、被測定者から測定された生体情報と、前記生体情報の測定時における前記被測定者の位置情報とが対応付けられたデータを取得するデータ取得ステップと、
コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
コンピュータが、前記複数の場所情報毎に生成された数値指標に基づく情報を出力する情報出力ステップと、を備え、
前記指標生成ステップで、前記場所情報に属する複数の位置情報に対応付けられた生体情報の変動量を当該場所情報に対する前記数値指標として生成する診療支援方法。
【請求項１３】
コンピュータが、被測定者から測定された生体情報と、前記生体情報の測定時における前記被測定者の位置情報とが対応付けられたデータを取得するデータ取得ステップと、
コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
コンピュータが、前記複数の場所情報毎に生成された数値指標に基づく情報を出力する情報出力ステップと、を備え、
前記被測定者から測定された生体情報は、第一の生体情報と第二の生体情報を含み、
前記指標生成ステップで、前記場所情報に属する複数の位置情報に対応付けられた前記第一の生体情報及び前記第二の生体情報の各々の変動量の比を前記数値指標として生成する診療支援方法。
【請求項１４】
被測定者から測定された生体情報と、前記生体情報の測定時における前記被測定者の位置情報とが対応付けられたデータを取得するデータ取得ステップと、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
前記複数の場所情報毎に生成された数値指標に基づく情報を出力する情報出力ステップと、をコンピュータに実行させるためのプログラムであって、
前記指標生成ステップで、前記場所情報に属する複数の位置情報に対応付けられた生体情報の変動量を当該場所情報に対する前記数値指標として生成する診療支援プログラム。
【請求項１５】
被測定者から測定された生体情報と、前記生体情報の測定時における前記被測定者の位置情報とが対応付けられたデータを取得するデータ取得ステップと、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、
前記複数の場所情報毎に生成された数値指標に基づく情報を出力する情報出力ステップと、をコンピュータに実行させるためのプログラムであって、
前記被測定者から測定された生体情報は、第一の生体情報と第二の生体情報を含み、
前記指標生成ステップで、前記場所情報に属する複数の位置情報に対応付けられた前記第一の生体情報及び前記第二の生体情報の各々の変動量の比を前記数値指標として生成する診療支援プログラム。
【発明の詳細な説明】
【技術分野】
【０００１】
本発明は、診療支援装置、診療支援方法、診療支援プログラム、及び生体情報測定装置に関する。
【背景技術】
【０００２】
血圧及び脈拍数等の生体情報は、ある程度長い期間に渡って測定された継続的な情報を用いることで診療に役立てることが可能である。継続して測定される生体情報を他の情報と対応付けて記憶する技術として、特許文献１，２に記載されたものがある。
【０００３】
特許文献１には、継続的に生体情報を取得することのできる脈拍センサを搭載する装置が、脈拍センサによって検出された生体情報と、装置の位置情報とを対応付けた状態で監視コンピュータに転送するシステムが記載されている。このシステムによれば、監視コンピュータを操作することで、例えば患者の生体情報が急変したこと、その急変した患者の位置がどこであるか、等を知ることができる。
【０００４】
特許文献２には、生体情報取得部と位置情報取得部とを有し、生体情報取得部で測定された生体情報と、位置情報取得部で取得された位置情報とを対応付けて記録する携帯電話機が記載されている。この携帯電話機によれば、生体情報と位置情報を対応付けたログデータを得ることができるため、精度の高い健康管理を行うことができる。
【先行技術文献】
【特許文献】
【０００５】
【特許文献１】特開２０１２−１５２３７４号公報
【特許文献２】特開２００８−２２９０９２号公報
【発明の概要】
【発明が解決しようとする課題】
【０００６】
特許文献１，２には、生体情報と位置情報を対応付けて記憶することが記載されているが、この記憶した情報をどのように利用するかについては詳述されていない。生体情報と位置情報を単に対応付けて記憶するだけでは、医師による診療に役立つ情報を得ることは容易ではない。
【０００７】
本発明は、上記事情に鑑みてなされたものであり、診療に役立つ情報を出力して診療を支援することが可能な診療支援装置、診療支援方法、診療支援プログラム、及び診療支援装置を有する生体情報測定装置を提供することを目的とする。
【課題を解決するための手段】
【０００８】
本発明の診療支援装置は、被測定者から測定された生体情報と、前記生体情報の測定時における前記被測定者の位置情報とが対応付けられたデータを取得するデータ取得部と、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、前記複数の場所情報毎に生成された数値指標に基づく出力を行う出力部と、を備え、前記出力部は、前記複数の場所情報毎に生成された数値指標と、前記数値指標に対応する場所情報とを出力するものである。
【０００９】
本発明の生体情報測定装置は、前記診療支援装置と、前記生体情報を測定する生体情報測定部と、前記位置情報を取得する位置情報取得部と、前記生体情報と、当該生体情報の測定時に前記位置情報取得部で取得された位置情報とを対応付けた前記データを記憶する記憶部と、を備え、前記データ取得部は、前記記憶部から前記データを取得するものである。
本発明の診療支援装置は、被測定者から測定された生体情報と、前記生体情報の測定時における前記被測定者の位置情報とが対応付けられたデータを取得するデータ取得部と、
前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、前記複数の場所情報毎に生成された数値指標に基づく出力を行う出力部と、を備え、前記指標生成部は、前記場所情報に属する複数の位置情報に対応付けられた生体情報の変動量を当該場所情報に対する前記数値指標として生成するものである。
本発明の診療支援装置は、被測定者から測定された生体情報と、前記生体情報の測定時における前記被測定者の位置情報とが対応付けられたデータを取得するデータ取得部と、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、前記複数の場所情報毎に生成された数値指標に基づく出力を行う出力部と、を備え、前記被測定者から測定された生体情報は、第一の生体情報と第二の生体情報を含み、前記指標生成部は、前記場所情報に属する複数の位置情報に対応付けられた前記第一の生体情報及び前記第二の生体情報の各々の変動量の比を前記数値指標として生成するものである。
【００１０】
本発明の診療支援方法は、コンピュータが、被測定者から測定された生体情報と、前記生体情報の測定時における前記被測定者の位置情報とが対応付けられたデータを取得するデータ取得ステップと、コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、コンピュータが、前記複数の場所情報毎に生成された数値指標に基づく情報を出力する情報出力ステップと、を備え、前記情報出力ステップで、前記複数の場所情報毎に生成された数値指標と、前記数値指標に対応する場所情報とを出力するものである。
本発明の診療支援方法は、コンピュータが、被測定者から測定された生体情報と、前記生体情報の測定時における前記被測定者の位置情報とが対応付けられたデータを取得するデータ取得ステップと、コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、コンピュータが、前記複数の場所情報毎に生成された数値指標に基づく情報を出力する情報出力ステップと、を備え、前記指標生成ステップで、前記場所情報に属する複数の位置情報に対応付けられた生体情報の変動量を当該場所情報に対する前記数値指標として生成するものである。
本発明の診療支援方法は、は、コンピュータが、被測定者から測定された生体情報と、前記生体情報の測定時における前記被測定者の位置情報とが対応付けられたデータを取得するデータ取得ステップと、コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、コンピュータが、前記複数の場所情報毎に生成された数値指標に基づく情報を出力する情報出力ステップと、を備え、前記被測定者から測定された生体情報は、第一の生体情報と第二の生体情報を含み、前記指標生成ステップで、前記場所情報に属する複数の位置情報に対応付けられた前記第一の生体情報及び前記第二の生体情報の各々の変動量の比を前記数値指標として生成するものである。
【００１１】
本発明の診療支援プログラムは、被測定者から測定された生体情報と、前記生体情報の測定時における前記被測定者の位置情報とが対応付けられたデータを取得するデータ取得ステップと、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、前記複数の場所情報毎に生成された数値指標に基づく情報として、前記複数の場所情報毎に生成された数値指標と、前記数値指標に対応する場所情報とを出力する情報出力ステップと、をコンピュータに実行させるためのものである。
本発明の診療支援プログラムは、測定者から測定された生体情報と、前記生体情報の測定時における前記被測定者の位置情報とが対応付けられたデータを取得するデータ取得ステップと、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、前記複数の場所情報毎に生成された数値指標に基づく情報を出力する情報出力ステップと、をコンピュータに実行させるためのプログラムであって、前記指標生成ステップで、前記場所情報に属する複数の位置情報に対応付けられた生体情報の変動量を当該場所情報に対する前記数値指標として生成するものである。
本発明の診療支援プログラムは、被測定者から測定された生体情報と、前記生体情報の測定時における前記被測定者の位置情報とが対応付けられたデータを取得するデータ取得ステップと、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、前記複数の場所情報毎に生成された数値指標に基づく情報を出力する情報出力ステップと、をコンピュータに実行させるためのプログラムであって、前記被測定者から測定された生体情報は、第一の生体情報と第二の生体情報を含み、前記指標生成ステップで、前記場所情報に属する複数の位置情報に対応付けられた前記第一の生体情報及び前記第二の生体情報の各々の変動量の比を前記数値指標として生成するものである。
【発明の効果】
【００１２】
本発明によれば、診療に役立つ情報を出力して診療を支援することが可能な診療支援装置、診療支援方法、診療支援プログラム、及び診療支援装置を有する生体情報測定装置を提供することができる。
【図面の簡単な説明】
【００１３】
【図１】本発明の一実施形態を説明するための生体情報測定装置１００の概略構成を示すブロック図である。
【図２】図１に示す制御部１の機能ブロック図である。
【図３】図１に示す記憶部６に記憶されるデータを示す図である。
【図４】図１に示す制御部１が場所情報毎に生成する数値指標の例を示す図である。
【図５】図１に示す制御部１の診療支援モード時の動作を説明するためのフローチャートである。
【発明を実施するための形態】
【００１４】
以下、本発明の実施形態について図面を参照して説明する。
【００１５】
図１は、本発明の一実施形態を説明するための生体情報測定装置１００の概略構成を示すブロック図である。
【００１６】
生体情報測定装置１００は、全体を統括制御する制御部１と、生体情報測定部２と、位置情報取得部３と、表示部４と、操作部５と、記憶部６と、を備える。
【００１７】
生体情報測定部２は、周知の構成により、被測定者の血圧情報（最高血圧値、最低血圧値、及び脈圧等）及び脈拍数等の生体情報を測定する。
【００１８】
生体情報測定部２は、カフを用いたオシロメトリック法によって血圧情報や脈拍数を測定する構成や、特開２００４−１１３３６８号公報、特開平０２−２６１４２１号公報、特開平０７−１２４１３０号公報、及び特開平０１−２４２０３１号公報等に記載されている圧脈波センサを橈骨動脈に押圧することで血圧情報や脈拍数を測定する構成等を採用可能である。
【００１９】
生体情報測定部２は、予め決められたタイミングで生体情報の測定を継続的に行い、測定した生体情報を測定時刻と対応付けて制御部１に伝達する。
【００２０】
位置情報取得部３は、生体情報測定部２によって生体情報が測定された時点での生体情報測定装置１００の位置情報（例えば緯度及び経度）を取得し、取得した位置情報を時刻と対応付けて制御部１に伝達する。
【００２１】
位置情報取得部３は、例えばＧＰＳ（Ｇｌｏｂａｌ  Ｐｏｓｉｔｉｏｎｉｎｇ  ｓｙｓｔｅｍ）受信機を含み、ＧＰＳ受信機で受信される位置情報を取得する。位置情報取得部３は、生体情報測定装置１００の位置情報を取得できればよく、例えば、ワイファイやブルートゥース等による基地局との通信情報に基づいて位置情報を推定して取得してもよい。または、生体情報測定装置１００と、位置情報を取得する機能を有する電子機器（スマートフォン等）とを通信可能とし、生体情報測定装置１００の位置情報取得部３が電子機器に位置情報送信をリクエストして、位置情報を取得してもよい。
【００２２】
制御部１は、生体情報測定部２から伝達された生体情報と、この生体情報に対応付けられた時刻情報と同じ時刻情報が対応付けられている位置情報取得部３から伝達された位置情報とを対応付けて記憶部６に記憶する。
【００２３】
表示部４は、測定された生体情報等の各種情報を表示するためのものであり、例えば液晶等により構成される。
【００２４】
操作部５は、制御部１に対する指示信号を入力するためのインターフェースであり、生体情報の測定を含む各種動作の開始を指示するためのボタン等により構成される。
【００２５】
記憶部６は、制御部１に所定の動作をさせるためのプログラムやデータを記憶するＲＯＭ（Ｒｅａｄ  Ｏｎｌｙ  Ｍｅｍｏｒｙ）、ワークメモリとしてのＲＡＭ（Ｒａｎｄａｍ  Ａｃｃｅｓｓ  Ｍｅｍｏｒｙ）、及び、生体情報と位置情報と時刻情報とが対応付けられたデータ（以下、分析用データという）を含む各種情報を記憶するフラッシュメモリ等を含む。
【００２６】
記憶部６には、被測定者の自宅、被測定者の職場、及び被測定者が通う病院などの指定された場所を示す場所情報を操作部５の操作によって記録しておくことが可能となっている。場所情報は、場所の名称と、指定された場所（自宅住所、職場住所、病院住所）を中心とする所定範囲（例えば半径数ｍ）の地図情報とを含む。
【００２７】
制御部１は、記憶部６のＲＯＭに記憶された診療支援プログラムを実行することにより、データ取得部１１と、指標生成部１２と、出力部１３として機能する。制御部１は診療支援装置として機能する。
【００２８】
図２は、図１に示す制御部１の機能ブロックを示す図である。
【００２９】
データ取得部１１は、記憶部６に記憶されている分析用データを取得する。
【００３０】
指標生成部１２は、分析用データに含まれる位置情報のうち、記憶部６に登録された複数の場所情報の各々に属する位置情報に対応付けられた生体情報に基づいて、この各々の場所情報に対し、被測定者の身体状態を判断するための数値指標を生成する。
【００３１】
図３は、分析用データの一例を示す図である。図３に示すように、分析用データは、生体情報（図３では最高血圧値としている）と、その生体情報が測定された時点での位置情報と、その生体情報が測定された時刻とが対応付けられたデータである。
【００３２】
図３の分析用データは、被測定者が、時刻ｔ１〜ｔ４の間は自宅に滞在し、その後に移動して、時刻ｔ６〜ｔ１０の間は職場に滞在し、その後に移動して、時刻ｔ１１〜ｔ１５の間は病院に滞在する行動をとったときの例を示している。
【００３３】
指標生成部１２は、記憶部６に登録された被測定者の自宅の場所情報に属する位置情報に対応する生体情報を抽出し、抽出した生体情報に基づいて、自宅の場所情報に対応する数値指標を算出する。
【００３４】
図３の例では、指標生成部１２は、自宅の場所情報に属する位置情報Ｇ１〜Ｇ４に対応する血圧値Ｂ１〜Ｂ４の平均値を、被測定者の身体状態（ここでは血圧の高低）を判断するための数値指標として算出する。この数値指標の大きさにより、自宅において被測定者は高血圧なのか否かを判断することができる。
【００３５】
同様に、指標生成部１２は、記憶部６に登録された被測定者の職場の場所情報に属する位置情報に対応する生体情報を抽出し、抽出した生体情報に基づいて、職場の場所情報に対応する数値指標を算出する。
【００３６】
図３の例では、指標生成部１２は、職場の場所情報に属する位置情報Ｇ６〜Ｇ１０に対応する血圧値Ｂ６〜Ｂ１０の平均値を、被測定者の身体状態を判断するための数値指標として算出する。この数値指標の大きさにより、職場において被測定者は高血圧なのか否かを判断することができる。
【００３７】
同様に、指標生成部１２は、記憶部６に予め登録された被測定者の通う病院の場所情報に属する位置情報に対応する生体情報を抽出し、抽出した生体情報に基づいて、病院の場所情報に対応する数値指標を算出する。
【００３８】
図３の例では、指標生成部１２は、病院の場所情報に属する位置情報Ｇ１２〜Ｇ１５に対応する血圧値Ｂ１２〜Ｂ１５の平均値を、被測定者の身体状態を判断するための数値指標として算出する。この数値指標の大きさにより、病院において被測定者は高血圧なのか否かを判断することができる。
【００３９】
図４は、指標生成部１２によって生成される数値指標の一例を示す図である。図４に示すように、登録された場所情報毎に、数値指標としての血圧平均値が算出され、このデータが記憶部６に記憶される。
【００４０】
出力部１３は、指標生成部１２により生成された図４に示す数値指標に基づく出力を行う。
【００４１】
図５は、図１に示す生体情報測定装置１００の動作を説明するためのフローチャートである。生体情報測定装置１００は診療支援モードを搭載しており、操作部５の操作によって、このモードに設定されると、図５に示す動作が開始される。以下では、生体情報が最高血圧値であるものとして説明する。
【００４２】
まず、制御部１のデータ取得部１１は、記憶部６に記憶されている分析用データを取得する（ステップＳ１）。
【００４３】
次に、制御部１の指標生成部１２は、記憶部６に記憶されている場所情報毎に、その場所情報に属する位置情報（場所情報で指定される範囲に含まれる位置情報）を分析用データから抽出し、抽出した位置情報に対応する血圧値の平均値を数値指標として算出する（ステップＳ２）。
【００４４】
場所情報毎に数値指標が算出されると、制御部１の出力部１３は、場所情報毎に生成された数値指標のうち、最小となる数値指標との差が第一の閾値以上となる第一の数値指標があるか否かを判定する（ステップＳ３）。
【００４５】
ステップＳ３の判定がＹＥＳのとき、出力部１３は、第一の数値指標に対応する場所情報に基づく場所に依存して被測定者の身体状態が異常になることを通知するための情報を出力する。情報の出力方法としては、表示部４に情報を表示させる方法、外部のプリンタ等によって情報を紙に印刷する方法等がある。
【００４６】
例えば、ステップＳ２で算出された数値指標が図４に示すものである場合、数値指標の最小値は１２０ｍｍＨｇである。第一の閾値を４０ｍｍＨｇとすると、１６０ｍｍＨｇが第一の数値指標となる。このため、出力部１３は、ステップＳ３の判定がＹＥＳのときは、この１６０ｍｍＨｇに対応する職場の場所情報にしたがい、“被測定者は職場において血圧が高くなる傾向にある”ことを示す情報（高血圧のタイプを示す情報）を生成し、この情報を表示部４に表示させる。この情報により、医師は、被測定者の高血圧のタイプを知ることができ、診療に役立てることができる。
【００４７】
ステップＳ３の判定がＮＯのとき、出力部１３は、被測定者が場所に依存して血圧が高くなる（身体状態が異常になる）タイプではないことを示す情報を表示部４に表示させる（ステップＳ５）。ステップＳ３の判定がＮＯとなるのは、場所毎の血圧平均値がどれも同じ程度である状況であり、この状況では、場所に依存した身体状態の変化はないと判断することができるため、ステップＳ５の処理が行われる。
【００４８】
なお、ステップＳ３の処理を行わずに、ステップＳ２の後、出力部１３は、ステップＳ２において算出された数値指標を、この数値指標に対応する場所情報と共に表示部４に表示させてもよい。これにより、表示部４には、例えば図４に示す画像が表示される。
【００４９】
この画像により、医師は、被測定者が場所に依存して血圧が高くなるタイプなのかどうか、そのようなタイプの場合は、どの場所で血圧が高くなるのか、といったことを知ることができ、診療に役立てることができる。
【００５０】
また、出力部１３は、ステップＳ２の後、場所情報毎に生成された数値指標について、場所情報毎に予め決められた第二の閾値以上となるか否かを判定し、この判定結果に基づいて、被測定者が場所に依存して身体状態に変化があるタイプか否かを表示部４に表示させてもよい。
【００５１】
場所に依存して身体状態が変化するタイプの代表例としては白衣高血圧がある。この白衣高血圧の診断基準は、病院での血圧値が１４０ｍｍＨｇ以上かつ自宅での血圧値が１３５ｍｍＨｇ以下である。このため、例えば、自宅に対して決められた第二の閾値を１３５ｍｍＨｇとし、病院に対して決められた第二の閾値を１４０ｍｍＨｇとすることで、被測定者が白衣高血圧か否かを判定することができる。
【００５２】
図４の例では、自宅に対応する数値指標は第二の閾値未満となり、病院に対応する数値指標は第二の閾値未満であるため、被測定者は白衣高血圧ではないと判断できる。このように、出力部１３は、場所情報毎の数値指標に基づいて、場所情報に基づく場所に依存して被測定者の身体状態が異常になることを通知するための情報を生成し、表示部４に出力してもよい。
【００５３】
なお、出力部１３は、ステップＳ１で取得した分析データを図３に示すような形式で表示部４に表示させてもよい。このように分析データを表示させることで、より多くの情報を医師に提供することができ、効果的な診断支援を実現することができる。
【００５４】
また、図４に示す情報を表示する画面と、図３に示す情報を表示する画面とを操作部５の操作によって任意に切り替えられるようにしてもよい。例えば、図４の状態で“職場”が記されたブロックをタッチ操作すると、図３の時刻ｔ６〜時刻ｔ１０のデータが拡大表示されるようにする。これにより、大まかな情報の確認から細かい情報の確認をスムーズに行うことができ、効率的な診断が可能になる。
【００５５】
生体情報測定装置１００の測定対象とする生体情報は、場所によって変化があると想定されるものであれば何でもよく、例えば脈拍であってもよい。
【００５６】
脈拍を測定対象とした場合、指標生成部１２は、自宅、職場、病院の各々に対応する数値指標として、その場所で測定された脈拍の平均値を算出する。脈拍の平均値が小さいと不整脈が疑われるため、この数値指標を見ることで、不整脈の有無の判定に役立てることができる。また、自律神経異常により、場所によって不整脈が発生するケースもあるため、場所毎の脈拍に関する数値指標を見ることで、不整脈の原因を探ることが可能となる。
【００５７】
また、生体情報測定装置１００の測定対象とする生体情報は、血圧値と脈拍の両方であってもよい。このように、複数の生体情報を測定対象とすることで、被測定者の場所に依存した身体状態をより多面的に判断することができる。
【００５８】
以上の説明では、数値指標として生体情報の平均値を算出するものとしたが、生体情報の変動量を数値指標としてもよい。
【００５９】
例えば、生体情報が血圧値であれば、ある場所情報に属する複数の位置情報に対応する血圧値について、対応時刻が隣接するもの同士の差を算出する。そして、この差の平均値（血圧値の変動量）を数値指標とすれよい。
【００６０】
生体情報の変動量を数値指標とすることで、例えば血圧値の変動量が大きくなる場所を医師が容易に知ることができ、診療に役立てることができる。また、生体情報の分散を数値指標としても同様の効果を得ることができる。
【００６１】
また、測定対象とする生体情報を血圧値と脈拍とし、場所毎の数値指標を、その場所で測定された血圧値の変動量と、その場所で測定された脈拍の変動量の比としてもよい。２つの生体情報の変動量の比を数値指標にすることで、１つだけの生体情報から数値指標を算出する場合より多くの情報に基づいた指標を算出することができる。このため、被測定者の身体状態をより反映した指標を医師に提供することができる。ここでは血圧値と脈拍の各々の変動量の比としたが、脈圧と脈拍の各々の変動量の比としてもよい。つまり、複数の生体情報の各々の変動量の比を数値指標とすればよい。
【００６２】
以上説明した制御部１のデータ取得部１１、指標生成部１２、及び出力部１３は、生体情報測定装置１００とは別の電子機器に持たせる構成でもよい。つまり、生体情報測定装置１００には、分析用データと場所情報を記憶部６に記憶する機能を持たせておき、生体情報測定装置１００を外部のコンピュータと接続したときに、このコンピュータが、データ取得部１１、指標生成部１２、及び出力部１３として機能して、数値指標に基づく出力を行ってもよい。この場合は、このコンピュータが診療支援装置として機能する。
【００６３】
本実施形態の制御部１が行う図５に示した各ステップをコンピュータに実行させるためのプログラムとして提供することもできる。このようなプログラムは、当該プログラムをコンピュータが読取可能な一時的でない（ｎｏｎ−ｔｒａｎｓｉｔｏｒｙ）記録媒体に記録される。
【００６４】
このような「コンピュータ読取可能な記録媒体」は、たとえば、ＣＤ−ＲＯＭ（Ｃｏｍｐａｃｔ  Ｄｉｓｃ−ＲＯＭ）等の光学媒体や、メモリカード等の磁気記録媒体等を含む。また、このようなプログラムを、ネットワークを介したダウンロードによって提供することもできる。
【００６５】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００６６】
以上説明してきたように、本明細書には以下の事項が開示されている。
【００６７】
開示された診療支援装置は、被測定者から測定された生体情報と、前記生体情報の測定時における前記被測定者の位置情報とが対応付けられたデータを取得するデータ取得部と、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成部と、前記複数の場所情報毎に生成された数値指標に基づく出力を行う出力部と、を備えるものである。
【００６８】
開示された診療支援装置は、前記出力部は、前記複数の場所情報毎に生成された数値指標に基づいて、前記被測定者が、特定の場所情報に基づく場所に依存して身体状態が異常になるタイプか否かを通知するための情報を出力するものである。
【００６９】
開示された診療支援装置は、前記出力部は、前記複数の場所情報毎に生成された数値指標と、前記数値指標に対応する場所情報とを出力するものである。
【００７０】
開示された診療支援装置は、前記指標生成部は、前記場所情報に属する複数の位置情報に対応付けられた生体情報の平均値を当該場所情報に対する前記数値指標として生成するものである。
【００７１】
開示された診療支援装置は、前記指標生成部は、前記場所情報に属する複数の位置情報に対応付けられた生体情報の変動量を当該場所情報に対する前記数値指標として生成するものである。
【００７２】
開示された診療支援装置は、前記被測定者から測定された生体情報は、第一の生体情報と第二の生体情報を含み、前記指標生成部は、前記場所情報に属する複数の位置情報に対応付けられた前記第一の生体情報及び前記第二の生体情報の各々の変動量の比を前記数値指標として生成するものである。
【００７３】
開示された診療支援装置は、前記第一の生体情報は血圧値であり、前記第二の生体情報は脈拍であるものを含む。
【００７４】
開示された診療支援装置は、前記生体情報は、血圧値、脈拍、又は脈圧であるものを含む。
【００７５】
開示された生体情報測定装置は、前記診療支援装置と、前記生体情報を測定する生体情報測定部と、前記位置情報を取得する位置情報取得部と、前記生体情報と、当該生体情報の測定時に前記位置情報取得部で取得された位置情報とを対応付けた前記データを記憶する記憶部と、を備え、前記データ取得部は、前記記憶部から前記データを取得するものである。
【００７６】
開示された診療支援方法は、コンピュータが、被測定者から測定された生体情報と、前記生体情報の測定時における前記被測定者の位置情報とが対応付けられたデータを取得するデータ取得ステップと、コンピュータが、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、コンピュータが、前記複数の場所情報毎に生成された数値指標に基づく情報を出力する情報出力ステップと、を備えるものである。
【００７７】
開示された診療支援プログラムは、被測定者から測定された生体情報と、前記生体情報の測定時における前記被測定者の位置情報とが対応付けられたデータを取得するデータ取得ステップと、前記データに含まれる位置情報のうち、予め登録された複数の場所情報の各々に属する位置情報に対応付けられた生体情報に基づいて、前記各々の場所情報に対し、前記被測定者の身体状態を判断するための数値指標を生成する指標生成ステップと、前記複数の場所情報毎に生成された数値指標に基づく情報を出力する情報出力ステップと、をコンピュータに実行させるためのプログラムである。
【符号の説明】
【００７８】
１００  生体情報測定装置
１  制御部
２  生体情報測定部
３  位置情報取得部
６  記憶部
１１  データ取得部
１２  指標生成部
１３  出力部
【図１】
0006586818.tif 000002
【図２】
0006586818.tif 000003
【図３】
0006586818.tif 000004
【図４】
0006586818.tif 000005
【図５】
0006586818.tif 000006